(57)【特許請求の範囲】
【請求項１】
編み製品のデザインをモニタに表示して、該デザインのサイズ変更を行うニットデザインシステムにおいて、
前記モニタに表示されたデザインに対しサイズ変更を行う複数の箇所にグレーディングラインを指示するグレーディングライン指示手段と、
前記グレーディングライン指示手段で指示したグレーディングラインに対してデザインの修正情報を設定するグレーディングライン設定手段と、
前記グレーディングライン指示手段で指示したグレーディングラインと、グレーディングライン設定手段で設定した修正情報に基づき、デザインのサイズ変更を行う演算処理手段と、
前記演算処理手段によりサイズ変更されたデザインにおいて不規則な外形ラインとなった箇所を規則的な外形ラインとなるようにライン変換する外形ライン変換手段とを備えたことを特徴とする、ニットデザインシステム。
【請求項２】
前記グレーディングライン設定手段は、前記グレーディングライン指示手段で指示したグレーディングラインの中でグレーディングラインにおけるサイズ変更が影響し合うグレーディングラインの関連付けを行い、それぞれのグレーディングラインにおける変位の比率を設定することを特徴とする、請求項１に記載のニットデザインシステム。
【請求項３】
前記外形ライン変換手段によるデザインのライン変換後、ライン変換を行った外形ラインの柄側にデザインの柄の基本パターンに基づいて柄の描画を行う柄描画手段を備えたことを特徴とする、請求項１に記載のニットデザインシステム。
【発明の詳細な説明】
技術分野
本発明は、横編機で編成を行う編地のデザインを行うニットデザインシステムに関し、特に袖と身頃を接続した状態で編成を行う無縫製編地のデザインの作成が可能なニットデザインシステムに関する。
背景技術
例えば、セーターやワンピース等の無縫製編地では、両袖を前後の身頃と並行して筒状に編成し、その後に両袖を身頃に接続する。そして身頃を肩まで編成して接続し、必要に応じて衿部等に処理を施し編成を終了する。
このような無縫製編地を横編機で編成する際に使用する編成データの基となるデザインは、ニットデザインシステムを用いてモニタに表示しながら作成され、作成されたデザインデータは前身頃と後身頃及び袖のデータを含み、袖を前身頃及び後身頃に並行にかつ接続開始部で接続した状態でモニタに表示される。無縫製編地のデザインを作成する場合は、袖を前身頃及び後身頃のアームホールに接続するためのアームホール付近での袖のデザインの制限などを考慮してデザインの作成が行われる。
このようにして作成された無縫製編地のデザインに対してサイズ変更を行うには、まずモニタにデザインを表示してサイズ変更を行う箇所をオペレータが指示し、指示した箇所の巾方向あるいは丈方向に所望する目数に相当するスペースを挿入あるいはデータを削除することによりデザインのサイズを大きくあるいは小さくする。サイズを大きくする際に挿入されたスペースにはデザインの柄の連続性が途切れないように基本パターンを描画する。
そしてデザインに対して指示箇所の巾方向あるいは丈方向にデータを挿入あるいは削除することによりデザインのサイズ変更を行った後、デザインの外形ラインが崩れ、不規則なラインとなった箇所があれば規則的な外形ラインとなるようにラインの修正作業をオペレータが行う。
しかしながら無縫製編地のデザインのサイズ変更を行う際には、例えばオペレータが所望するサイズの変更値が実際の編地においてはどの位の目数となるのか、逆にある目数のデータを挿入あるいは削除すればどの位サイズが変化するのか考えながら作業を行わなければならず、特に袖と前後の身頃の接続部であるアームホール部分においては、袖のデザイン形状を考慮した接続条件を満たすようにしなければならない。
さらに編地のグランド部分の基本パターンの柄がワイドリブのような繰り返しパターンである場合、その柄が繰り返されるピッチを把握して、デザインのサイズ変更を行うことにより柄の繰り返しパターンの連続性が途切れないように、編成の制約や組織情報等を考慮した上でデザインのサイズ変更を行わなければならない。
このように無縫製編地のデザインのサイズ変更を行うには、編地における編成の制約や組織情報等を考慮しながらそれぞれのサイズ変更箇所を個別に修正しなければならず、これには熟練した技術を要すると共にたいへん手間と時間のかかる作業である。
本発明は、編み製品のデザインのサイズ変更を容易に行うことができるニットデザインシステムを提供することを目的とする。
発明の開示
本発明では、編み製品のデザインをモニタに表示して、該デザインのサイズ変更を行うニットデザインシステムにおいて、前記モニタに表示されたデザインに対しサイズ変更を行う複数の箇所にグレーディングラインを指示するグレーディングライン指示手段と、
前記グレーディングライン指示手段で指示したグレーディングラインに対してデザインの修正情報を設定するグレーディングライン設定手段と、
前記グレーディングライン指示手段で指示したグレーディングラインと、グレーディングライン設定手段で設定した修正情報に基づき、デザインのサイズ変更を行う演算処理手段と、
前記演算処理手段によりサイズ変更されたデザインにおいて不規則な外形ラインとなった箇所を規則的な外形ラインとなるようにライン変換する外形ライン変換手段とを備える。
好ましくは、前記グレーディングライン設定手段は、前記グレーディングライン指示手段で指示したグレーディングラインの中でグレーディングラインにおけるサイズ変更が影響し合うグレーディングラインの関連付けを行い、それぞれのグレーディングラインにおける変位の比率を設定する。
好ましくは、前記外形ライン変換手段によるデザインのライン変換後、ライン変換を行った外形ラインの柄側にデザインの柄の基本パターンに基づいて柄の描画を行う柄描画手段を備える。
発明を実施するための最良の形態
本発明の実施の形態を図面を参照しながら説明する。第１図は、本発明におけるニットデザインシステム１の構成を示した図である。このニットデザインシステム１は無縫製編地のデザインの作成及びデザインのサイズ変更が可能なものとする。２はバスでデータバスとそれ以外の命令バス等を区別せずに１つのバスとして示す。４はデザイン記憶部で、無縫製編地のデザインデータを記憶する。デザイン記憶部４に記憶するデザインデータは１ループを１ピクセルで記憶し、それぞれに編目の種類や振りの方向と距離等のデータを記憶できるビット幅を与えている。
このデザインデータはカラーデータとして解釈することができ、本実施の形態ではデザインデータをモニタ８にカラーデータとして表示する。デザインデータをカラーデータ、すなわち色コードで表示するか、あるいはそれ以外の例えばキャラクタ等の表示方法をとるかは任意である。またデザインデータをモニタ８に表示する時は１ループを１ピクセルで表示する。目移し等により１ループを編成するのに数コースを要する減らしや増やしなどの組織については、パッケージ柄としてその編成手順を予め登録しておくことで１ループを１ピクセルでモニタに表示することが可能である。
１０は作業用メモリで、演算過程での中間データ等を記憶する。
１２は自動制御処理部で、作成したデザインデータを編機の編成データに変換する。デザインシステム１においてデザインデータはデザイン記憶部４に記憶されており、このデザインデータを自動制御処理部１２で編成データに変換し、編機に供給して編地の編成を行う。
１４はＩ／Ｏ装置で、画像を表示するためのモニタ８、数値やコマンド等を入力するためのキーボード１６及びマウス１７、スタイラスペン１８による外部入力座標を入力するためのデジタイザ２０、既存のデザインデータの入力や自動制御処理部１２で変換した編成データの出力等の入出力用のディスクドライブ２２を接続する。
２４はグレーディングライン指示部で、デザイン記憶部４に記憶してモニタ８に表示されているデザインに対して、サイズ変更を行う所望の箇所をスタイラスペン１８等により指示し、その指示箇所のＸ方向あるいはＹ方向にグレーディングラインの指定を行う。
Ｘ方向に指定したグレーディングラインは、後述の演算処理部２６によるデザインの丈方向におけるサイズ変更の基準となる。またＹ方向に指定したグレーディングラインはデザインの巾方向におけるサイズ変更の基準となる。
２８は、グレーディングライン設定部で、グレーディングライン指示部２４で指示し指示箇所のＸ方向あるいはＹ方向に指定したそれぞれのグレーディングラインに対してデザインの修正情報の設定を行う。このグレーディングライン設定部２８では、モニタ８に表示したデザインに対して指定したグレーディングラインを基準にどれだけのデータの挿入あるいは削除を行うのか設定すると共に、挿入あるいは削除を行う編地の柄のピッチも設定する。
また複数指定したグレーディングラインで、ある１つのグレーディングラインによるサイズ変更が他のクレーディングラインによるサイズ変更に影響するような互いに影響し合う複数のグレーディングラインに対してはこれらを１つのグループとして関連付けを行うと共に、関連付けした複数のグレーディングラインに対してそれぞれの変更による変位の比率も設定する。これにより関連付けられた複数のグレーディングラインの何れか１つの修正値を設定することにより、他のクレーディングラインの修正値がデザインシステム１側で自動的に算出される。
また本実施の形態では、編地のゲージ数を算出あるいは入力でき、デザインのサイズ変更の際にどれだけサイズを変更するかを変更する編目の数だけでなく、変更したい編地の寸法でも入力できるようにしている。
２６は演算処理部で、グレーディングライン指示部２４で指示したグレーディングラインを基準として、グレーディングライン設定部２８で設定したデザインデータの修正情報に従ってデザインのサイズ変更を行う。
３０はライン変換部で、演算処理部２６によるデザインのサイズ変更で、デザインの外形ラインが不規則になった箇所について、外形ラインが規則的なラインとなるようにラインの変換を行う。本実施の形態においては、所望する外形ラインの設定は、指定したエリア内において外形ラインを形成する１本以上のラインのＸ方向のピッチと、Ｙ方向の最小ピッチの設定と、編地の柄の基本パターン情報として編地グランド部分のＸ方向のピッチとＹ方向のピッチの設定を行い、この設定に基づいて不規則な外形ラインを規則的な外形ラインに変換処理を行う。
３２は柄描画部で、ライン変換部３０により規則的なラインへ変換されたデザインの修正部分に対して、ライン変換された外形ラインの柄側にデータが入力されていない箇所がある場合、ライン変換処理を行う際に設定した編地の基本パターン情報に基づき、デザインの外形ライン柄側のデータが入力されていない部分に柄のフィルを行う。
ニットデザインシステム１におけるデザインのサイズ変更処理について第２図〜第１１図を参照しながら説明する。
第２図はサイズ変更処理のフローチャートを示した図である。まずステップｓ１でサイズ変更処理を開始する。
ステップｓ２では、サイズ変更を行うデザインのデータ読み込みを行い、デザインをモニタ８に表示する。既に作成されたデザインデータはデザイン記憶部４から読み込むか、あるいはディスクドライブ２２等から読み込まれる。
本実施の形態において読み込まれるデザインデータは、第３図に示したような無縫製編地のセーターのデザイン３４であり、袖３８を前身頃３６及び後身頃４０に並行にかつ接続開始部４４で接続した状態でモニタ８に表示される。
次にステップｓ３においては、デザイン３４が左右対称な形状である場合、柄のセンター位置４６を設定してミラー処理を行うようにする。これによりセンター位置を基準に左右どちらか片側のデザイン３４を修正すればその反対側も同時に修正することができる。センター位置はオペレータにより設定しても、あるいはデザインシステム１側で自動的に設定させても構わない。
そしてステップｓ４では、グレーディングライン指示部２４によるグレーディングラインをモニタ８に表示された第３図のデザイン３４上のサイズ変更を行う箇所に重ねて表示する。
本実施の形態においてはデザイン３４のサイズを大きくするために、サイズ変更を行う所望の箇所をスタイラスペン１８により指示しその指示箇所のＸ方向あるいはＹ方向にグレーディングライン４８を指定する。第４図はサイズ変更を行うデザイン３４上にグレーディングライン４８を重ねて表示した状態を示した図である。
第４図においてグレーディングライン４８ａとグレーディングライン４８ｂは袖の袖丈を延ばすために指定したグレーディングラインである。グレーディングライン４８ａは袖山５０に指定し、グレーディングライン４８ｂは袖山５０より下方に指定している。
グレーディングライン４８ｃは袖巾を広げるためのグレーディングラインである。ここでは袖口巾を変化させたくないためグレーディングライン４８ｃは袖口５２と接続開始部４４との間に指定している。またグレーディングライン４８ｄとグレーディングライン４８ｅは前身頃及び後身頃の身丈を延ばすためのグレーディングラインであり、グレーディングライン４８ｄは袖減らし部５４と接続する身頃３６，４０のアームホール部５６をつなぐように指定する。なおグレーディングライン４８ｄは衿首部５８と重ならないように身頃中央部においては衿首部５８の下方に指定している。
次にステップｓ５では、ステップｓ６において指定したそれぞれのグレーディングライン４８に対してデザイン３４の修正情報の設定を行う。この設定を行うサイズ変更表を示したのが第５図であり、このサイズ変更表６０では編地のゲージ設定６２を行うことができ、任意の寸法当たりの縦及び横方向の編目数を入力することによりゲージ数が算出される。したがってそれぞれのグレーディングライン４８に対して修正値を設定するとき、どれだけデータを挿入あるいは削除したいのかを編目の目数だけでなく、寸法（例えばｃｍ）で指定することも可能である。
サイズ変更表６０の寸法及び目数の項目６３，６４において、左側の数値がサイズ変更を行いたい理想値であり、右側の数値が後述するピッチを考慮した実際値である。ピッチの項目６６にはデータを挿入あるいは削除するデザインデータ３４の柄が繰り返す最小単位の値を設定する。グループの項目６８にはあるグレーディングライン４８におけるデザインデータ３４の修正が互いに影響し合う複数のグレーディングライン４８に対してグループとしての関連付けを行い、グループ毎に例えばアルファベットを付与する。また関連付けされた複数のグレーディングライン４８のそれぞれには修正による変位の比率６９を設定する。
第４図に示したような無縫製編地のセーターのデザインで、袖の減らし部５４と身頃のアームホール部５６とを接続して袖３８を身頃３６，４０に取り付ける。このとき袖巾とアームホールの丈における目数を考慮しておかなければ袖３８と身頃３６，４０はうまく接続できない。
本実施の形態では、袖減らし部５４と身頃のアームホール部５６でグレーディングライン４８ｃ，４８ｄの関連付けを行っている。これらのグレーディングライン４８ｃ，４８ｄの変位の比率については、袖の形状によって異なり、例えばＴスリーブでは１：２、セットインスリーブでは１：２、ラグランスリーブでは１：１などのようになる。
そしてグレーディングライン４８ｃが比率１．０で、グレーディング４８ｄは比率２．０のような設定を行った場合、グレーディングライン４８ｃに例えば４目挿入するとグレーディングライン４８ｄでは８目挿入される。
なお、本実施の形態では関連付けられた複数のグレーディングラインにはそれぞれ修正による変位の比率を設定するが、設定するのは比率ではなく数式等により変位の割合を設定しても構わない。例えばグレーディングラインｃの修正値をＣとした場合、グレーディングラインｄの修正値Ｄは２×Ｃとして設定することも可能である。
ステップｓ６では演算処理部２６により、グレーディングライン指示部２４で指定しグレーディングライン設定部２８で設定した修正情報を基に、デザイン３４のサイズ変更処理を行う。サイズ変更処理を行ったデザイン３４を第６図に示す。
ステップｓ７では、ステップｓ６においてサイズ変更されたデザイン３４には第６図のように袖減らし部５４や脇増やし部７０等の外形ラインが不規則となる。このように外形ラインが不規則となった箇所は外形ライン変換部３０により規則的なラインとなるようにライン変換を行う。
このライン変換処理のフローチャートを第７図に示す。ステップｔ１でライン変換処理を開始する。
まず第８図はサイズ変更する前のデザイン３４の身頃３６，４０と接続する左袖山５０の袖減らし部５４を示した図である。この時点では袖減らし部５４は規則的な外形ラインとなっている。次に第９図はサイズ変更により袖巾の方向にデータを挿入したことによって不規則な外形ラインとなった袖減らし部５４を示した図である。
ステップｔ２では、まずライン変換を行う外形ラインが含まれるようにエリア７１を取る。そして第１０図に示したラインピッチ表７２によりデータ修正で不規則となった外形ラインに対してどのようなピッチのラインに変換するかの設定を行う。本実施の形態では不規則となった外形ラインを第一線７４と第二線７６の二本のラインによる２段階の規則的な外形ラインに変更するものとする。まず第一線７４のＸ方向及びＹ方向のピッチの入力を行う。なおＹ方向のピッチは最小ピッチとし、この最小ピッチの倍数でＹ方向のピッチを変化させることが可能である。
第二線７６も同様にＸ方向及びＹ方向のピッチを入力する。第一線及び第二線はＹ方向のピッチを変化させることでそれぞれの傾きを変化させることができる。本実施の形態では２本のラインの設定を行ったが、これは２本より多くても構わない。
なお、本実施の形態においては第一線７４のＸ方向のピッチは２、Ｙ方向のピッチは２とし、第二線７６のＸ方向のピッチは２、Ｙ方向のピッチは６に設定している。
また編地の柄の基本パターン情報７７として編地グランド部分のＸ方向およびＹ方向のピッチについても設定する。本実施の形態においては基本パターンのピッチはＸ方向が３、Ｙ方向が１としている。このデータは柄描画部３２において用いられる。
次にステップｔ３では、ライン変換部３０によりステップｔ２で設定したラインピッチ表７２に基づいて不規則となった外形ラインのライン変換を自動的に行う。第９図のデザインに対してエリア７１における外形ラインのライン変換を行ったものが第１１図である。本実施の形態では指定したエリア７１内に丸印７８が表示され、デザインシステム１が自動的にライン変換したライン８０がオペレータの所望するラインではないときは、オペレータがスタイラス１８等によりエリア内に表示された丸印７８を移動させることによって外形ラインを修正することが可能である。この場合においても外形ラインはラインピッチ表７２で設定した第一線７４と第二線７６等のピッチに基づいて外形ラインの修正が行われる。
またラインピッチ表７２で設定した第一線と第二線等のピッチに基づいたライン変換を行うことができない場合は、例えば第二線の始点７３をデザイン３４の丈方向に移動させてラインピッチ表７２で設定されたライン変換が行えるようにしている。
そしてステップｔ４では、ライン変換部３０により規則的な外形ラインにライン変換されたデザイン３４の修正部分で、変換された外形ラインの柄側にデータが入力されていない箇所８２については、設定された編地の基本パターン情報に基づいて柄のフィルが行われる。このときデザイン３４には減らしや増やし等の成型データについてもフィルすることが可能である。
なお外形ラインのライン変換により描画されていた柄が外形ラインの外側にはみ出た場合は、この外形ライン外側の柄データは削除される。
サイズ変更処理において設定されたグレーディングライン及びデザイン修正情報は、グレーディング情報としてデザイン記憶部４等に保存される。そして再びデザインのサイズ変更を行う時は、以前に作成したグレーディング情報を開くことにより、サイズ変更処理を容易に行うことができる。またこのグレーディング情報は同じサイズの別の編地のサイズ変更にも用いることができる。
ステップｔ５に進みライン変換処理は終了する。そして再び第２図に戻り、ステップｓ８でサイズ変更処理は終了となる。
このようにラインピッチ表７２で設定した第一線７４と第二線７６等のピッチに基づいてライン変換を行うことにより、サイズ変更を行う前のデザイン３４における外形ラインの形状に近いラインにすることができる。
次に本発明の他の実施の形態について説明を行う。
第１の実施の形態では、グレーディングライン指示部２４で指定したグレーディングライン４８の中で関連付けされた複数のグレーディングライン４８についてはそれぞれ修正による変位の比率を設定した。
第２の実施の形態では、関連付けられたグレーディングライン４８に対して修正による変位の比率以外でその変位量を設定する場合の説明を行う。本実施の形態では第１２図に示した無縫製編地のセーターのデザイン（袖部は省略）についてサイズ変更を行う。
例えばデザイン８６の身丈を変えずにアームホール部８８を２ｃｍ増やしたい場合、デザイン８６に対してアームホール部８８とアームホール８８下方の身頃部にそれぞれグレーディングライン９０ａ，９０ｂの描画を行うと共に、第１３図に示した寸法表８４により身丈の差は０とし、アームホール８８を＋２ｃｍと設定する。この設定を基にデザインシステム１は、それぞれのグレーディングライン９０ａ，９０ｂにおける変位の割合を設定する。そして演算処理部２６によるサイズ変更でグレーディングライン９０ａに対しては２ｃｍ増やし、グレーディングライン９０ｂに対しては２ｃｍ減らされる。
本実施の形態では、身頃部分だけでの説明を行ったが寸法表８４に袖部等に指定したグレーディングラインについても同様に処理することができ、グレーディングライン９０ａによるアームホール部８８のサイズ変更に伴って不図示の袖のＹ方向に指定したグレーディングラインに対しても変更が行われる。
上記で説明した実施の形態では、グレーディングライン４８，９０はオペレータにより指定するようにしたが、これはデザインシステム１側でサイズ変更を行う際に基本となる箇所に複数のグレーディングラインを自動的に指定し、必要に応じてオペレータがグレーディングラインを追加したり削除したりあるいはグレーディングラインの位置を変更させるようにしても構わない。
本実施の形態では、デザインにおいてサイズ変更を行う箇所にグレーディングラインを指定して、デザインをどの方向にサイズ変更するのか分かるようにしたが、このグレーディングラインはライン状のものには限らず、例えばサイズ変更の指示箇所にデザインをどの方向に変更するのかを表せればよい。
またグレーディングライン設定部２８およびライン変換部３０において設定したデザインにおける柄のピッチや外形ラインのピッチ等はデザインシステム１が解析して求め、自動的にそれらの値を設定するようにしても構わない。
また本実施の形態では、無縫製編地のセーターについてそのサイズ変更を行う場合の説明を行ったが、本発明は無縫製編地に限らず前身頃や袖といった各パーツ毎に編成する編地についても有効である。
以上、本発明の好適な実施の形態を示したが、本発明は上記実施の形態に限定されるものではなく、本発明の主旨に逸脱しない範囲において実施可能である。産業上の利用可能性
本発明によれば、モニタに表示された編み製品のデザインに対して、グレーディングライン指示手段はサイズ変更を行う複数の箇所にグレーディングラインを指示し、グレーディングライン設定手段は各グレーディングラインに対してデザインの修正情報の設定を行い、グレーディングライン指示手段で指示したグレーディングラインと、グレーディングライン設定手段で設定した修正情報に基づいてデザインのサイズ修正を行い、外形ライン変換手段はサイズ変更されたデザインにおいて不規則な外形ラインとなった箇所を規則的な外形ラインとなるようにライン変換を行う。これによりオペレータはデザインのサイズ変更箇所に対して個別に修正しなくてもよく、また編成の制約や組織情報等を考慮しなくてもデザインのサイズ変更を容易に行うことができる。そしてデザインのサイズ変更で不規則なラインとなった外形ラインを規則的な外形ラインに変換することができる。
また、グレーディングライン設定手段はサイズ変更が影響し合うグレーディングラインの関連付けと、それぞれのグレーディングラインにおける変位の比率を設定する。これにより関連付けされた複数のグレーディングラインの何れか１つの修正値を設定することにより、他のグレーディングラインの修正値は自動的に算出される。
また、柄描画手段はライン変換によりライン変換された外形ラインの柄側に、デザインの柄の基本パターンに基づいて柄の描画を行うことができる。
【図面の簡単な説明】
第１図は本発明のニットデザインシステムの構成を示した図である。第２図は第１図のニットデザインシステムにおけるサイズ変更処理のフローチャートである。第３図はサイズ変更を行う無縫製編地のデザインを示した図である。第４図はサイズ変更を行うデザイン上にグレーディングラインを重ねて表示した状態を示す図である。第５図はグレーディングラインに対してデザインの修正情報を設定するサイズ変更表を示した図である。第６図はサイズ変更後に外形ラインが不規則となったデザインを示した図である。第７図はライン変換処理のフローチャートを示した図である。第８図はサイズ変更を行う前の袖山の袖減らし部を示した図である。第９図はサイズ変更により不規則な外形ラインとなった袖減らし部を示した図である。第１０図はライン変換するために外形ラインの設定を行うラインピッチ表を示した図である。第１１図はライン変換により規則的な外形ラインとなった袖減らし部を示した図である。第１２図は第２の実施の形態においてサイズ変更を行うデザインを示した図である。第１３図は第２の実施の形態におけるデザインの変位量を設定する寸法表を示した図である。
【図１】
0003914874.tif 000002
【図２】
0003914874.tif 000003
【図３】
0003914874.tif 000004
【図４】
0003914874.tif 000005
【図５】
0003914874.tif 000006
【図６】
0003914874.tif 000007
【図７】
0003914874.tif 000008
【図８】
0003914874.tif 000009
【図９】
0003914874.tif 000010
【図１０】
0003914874.tif 000011
【図１１】
0003914874.tif 000012
【図１２】
0003914874.tif 000013
【図１３】
0003914874.tif 000014